(57)【特許請求の範囲】
【請求項１】
放送局が放出する緊急放送の有無を知らせる緊急放送通知情報と前記緊急放送の受信に必要な受信条件情報とを含む報知情報を無線送信する基地局装置との間で無線通信を行う移動体通信無線部と、
前記放送局が送出する放送波を受信する放送受信装置と、
前記移動体通信無線部が受信する報知情報に含まれる前記緊急放送通知情報が緊急放送有りを示すと、前記放送受信装置に電源を供給するとともに、前記受信した前記報知情報に含まれる前記受信条件情報を前記放送受信装置に設定する制御部と、
を備え、
前記制御部は、前記移動体通信無線部による前記基地局装置との間の通信が不能である状態では、前記放送受信装置に電源供給を間欠的に行うとともに、前記放送受信装置で受信した前記放送波を解析することで前記緊急放送の有無を判断し、緊急放送有りと判断すると、前記放送受信装置を前記緊急放送受信状態に切り替える、移動端末装置。
【請求項２】
前記制御部は、前記移動体通信無線部による前記基地局装置との間の通信が不能な状態から可能な状態に移行すると、前記放送受信装置への間欠的な電源供給を停止する、
請求項１の移動端末装置。
【請求項３】
消音設定可能な音声発声器をさらに備え、
前記制御部は、前記緊急放送受信時において前記音声発声器が消音設定されているときはその設定を解除したうえで、前記放送受信装置による前記緊急放送の受信と、前記音声発声器による当該緊急放送の放送内容の発声とを行う、
請求項１の移動端末装置。
【請求項４】
前記制御部は、前記消音設定を解除したうえで、前記放送受信装置による前記緊急放送の受信と、前記音声発声器による当該緊急放送の放送内容の発声を行う際には、前記音声発声器の発声音量を最大にする、
請求項３の移動端末装置。
【請求項５】
放送内容を記憶する記憶部をさらに備え、
前記制御部は、受信した前記緊急放送を前記記憶部に記憶する、
請求項１の移動端末装置。
【請求項６】
当該移動端末装置のユーザーに報知を行う報知器と、前記ユーザーによる入力を受け付ける入力器とをさらに備え、
前記制御部は、前記緊急放送の放送終了時において、当該緊急放送の受信を前記報知器によって前記ユーザーに報知し、
前記制御部は、前記報知器による受信報知を確認したユーザーによる確認入力が前記入力器になされたことを受けて、前記報知器による前記受信報知動作を終了させる、
請求項１の移動端末装置。
【請求項７】
前記報知器は、表示、音声発音、振動、および発光の何れか、または複数により前記ユーザーに報知する、
請求項６の移動端末装置。
【請求項８】
当該移動端末装置は、開閉自在な折り畳み形状を有しているとともに、当該装置の開閉状態を検出する検出器と、前記緊急放送の放送内容を再生する再生器とをさらに備え、
前記制御部は、前記検出器が当該装置の閉止を検出している状態で前記緊急放送を受信して前記記憶部に録画したのち、前記検出器が当該装置の開放を検出すると、前記記憶部に録画されている前記緊急放送を読み出して前記再生器で再生させる、
請求項５の移動端末装置。
【請求項９】
当該移動端末装置のユーザーに報知を行う報知器をさらに備え、
前記制御部は、前記放送受信装置が前記緊急放送を受信すると、前記報知器によって、前記緊急放送の受信を前記ユーザーに報知する、
請求項１の移動端末装置。
【請求項１０】
前記報知器は、表示、音声発音、振動、および発光の何れか、または複数により前記緊急放送の受信を前記ユーザーに報知する、
請求項９の移動端末装置。
【請求項１１】
前記緊急放送の放送内容を表示する表示器をさらに備え、
前記制御部は、他の移動端末装置との通話状態において前記緊急放送を受信すると、通話を継続しながら前記緊急放送の放送内容を前記表示器で表示する、
請求項１の移動端末装置。
【請求項１２】
前記緊急放送通知情報は、前記緊急放送を個別に識別可能な識別子を含み、
前記制御部は、受信した前記緊急放送通知情報に含まれる前記識別子を記憶し、前記放送受信装置が受信した前記緊急放送に対応する前記緊急放送通知情報に含まれる前記識別子が、予め記憶している前記識別子と同一である場合には、今回受信した前記緊急放送を前記記憶部で記録させない、
請求項５の移動端末装置。
【請求項１３】
前記緊急放送通知情報は、前記緊急放送を個別に識別可能な識別子を含み、
前記制御部は、受信した前記緊急放送通知情報に含まれる前記識別子を記憶し、  前記制御部は、前記ユーザーによる確認入力が前記入力器になされたのち前記放送受信装置で受信した前記緊急放送に対応する前記緊急放送通知情報の前記識別子が、予め記憶している前記識別子と同一である場合には、前記報知器による前記受信報知動作の停止状態を継続させる、
請求項６の移動端末装置。
【請求項１４】
前記緊急放送通知情報は、前記基地局装置の位置、災害や事故の発生場所、および近傍の避難場所や公共機関に関する支援情報を含み、
当該移動端末装置は、前記ユーザーに報知を行う報知器をさらに備え、
前記制御部は、前記緊急放送を受信すると、当該緊急放送に対応する前記緊急放送通知情報に含まれる前記支援情報を、前記報知器を介して前記ユーザーに報知させる、
請求項１の移動端末装置。
【発明の詳細な説明】
【技術分野】
【０００１】
本発明は、移動体通信システムおよび移動端末装置にかかわり、特にはテレビジョンまたはラジオの緊急放送を受信する技術に関する。
【背景技術】
【０００２】
テレビジョン放送またはラジオ放送においては、災害などの緊急事態発生時に緊急放送が実施される。これに対応するためにテレビジョンまたはラジオの放送受信装置においては、緊急放送時に自動的に電源が入って緊急放送を選局、表示する機能が望まれる。しかしながら、近年特に関心が高まりつつある省エネルギーへの取り組みおよび地球環境への配慮を鑑みれば、緊急放送対応であっても、不要な電力はなるべく消費しないことが望ましい。
【０００３】
このような要求に対して、従来から、特許文献１に示されるように、テレビジョン受信装置と表示装置とで電源系統を分離し、通常はテレビジョン受信装置のみに通電しておき、緊急放送を受信した場合には、表示装置の電源がＯＦＦの場合であっても、テレビジョン受信装置が表示装置の電源を自動的にＯＮにする技術がある。
【０００４】
この技術によると、テレビジョン受信装置が常時緊急放送の有無を監視しつつ、消費電力が大きい表示装置の電源は、テレビ視聴時以外はＯＦＦにしておくことが可能になる。これにより、視聴者が緊急放送を見逃すことなく、省電力化を図ることが可能になる。
【特許文献１】特開２００４−２３５９１号
【発明の開示】
【発明が解決しようとする課題】
【０００５】
しかしながら、上記従来技術は、放送受信機能を具備する携帯電話等の移動端末装置に適用する場合には、次のような課題がある。すなわち、緊急放送の受信のためには放送受信装置の電源を常に入れておく必要があるため、消費電力が大きいものとなる。移動端末装置は通常、電池駆動されるものであるため、放送受信装置の電源を常時オン状態にすることは、電池容量の制約からみて連続使用時間（待ち受け時間や通話時間）の短縮を招くことになる。
【０００６】
したがって、本発明の主たる目的は、移動体通信システムにおける移動端末装置において、電池駆動時における連続使用時間の短縮を招くことなく、緊急放送の自動受信を可能にすることである。
【課題を解決するための手段】
【００１０】
また、本発明の移動端末装置は、放送局が放出する緊急放送の有無を知らせる緊急放送通知情報と前記緊急放送の受信に必要な受信条件情報とを含む報知情報を無線送信する基地局装置との間で無線通信を行う移動体通信無線部と、
前記放送局が送出する放送波を受信する放送受信装置と、
前記移動体通信無線部が受信する報知情報に含まれる前記緊急放送通知情報が緊急放送有りを示すと、前記放送受信装置に電源を供給するとともに、前記受信した前記報知情報に含まれる前記受信条件情報を前記放送受信装置に設定する制御部とを備え、
前記制御部は、前記移動体通信無線部による前記基地局装置との間の通信が不能である状態（通話圏外）では、前記放送受信装置に電源供給を間欠的に行うとともに、前記放送受信装置で受信した前記放送波を解析することで前記緊急放送の有無を判断し、緊急放送有りと判断すると、前記放送受信装置を前記緊急放送受信状態に切り替える。
【００１１】
この構成において、基地局装置を介して相手側の移動端末装置または固定端末装置との間で無線通信を行っているときに、移動体通信無線部の電源はＯＮになっているが、省電力のため放送受信装置の電源はＯＦＦとしておくとする。移動体通信無線部は、基地局装置からの報知情報を受信する。この報知情報には、放送局からの緊急放送を知らせる緊急放送通知情報と緊急放送の受信に必要な受信条件情報とが含まれている。制御部は、移動体通信無線部が受信した報知情報に含まれる緊急放送通知情報が緊急放送有りを示す否かを判断し、有りを示すときは、放送受信装置に電源を供給するとともに、受信条件情報を放送受信装置に設定する。これにより、放送受信装置は放送局からの緊急放送を自動的に受信することができる。当該移動端末装置を電池で駆動する状態において、常時的には放送受信装置の電源をＯＦＦにしておくことで省電力を図り、連続使用時間（待ち受け時間や通話時間）の長寿命化を図りながら、緊急放送を自動的に受信することが可能となる。
【００１３】
この構成によれば、移動端末装置が通話圏外（通話エリア外であって通信不能）にある状態では、制御部は放送受信装置に間欠的に電源供給する。放送受信装置で受信した放送には、ＴＭＣＣ（Transmission and Multiplexing Configuration Control）と呼ばれる制御信号が含まれる。ＴＭＣＣには、緊急放送の開始と終了に関する情報が含まれるので、緊急放送の有無を判断することが可能である。そこで、制御部は受信したＴＭＣＣに基づいて緊急放送の有無を判断し、緊急放送有りと判断するときは、放送受信装置を緊急放送の受信状態に切り替える。移動端末装置を電池で駆動する状態において、通話圏外になると、間欠的に放送受信装置に電源を供給する。これにより常時電源供給に比べて省電力を図り、連続使用時間（待ち受け時間や通話時間）の長寿命化を図りながら、緊急放送を通話圏外状態でも自動的に受信することが可能となる。
【００１４】
なお、前記制御部は、前記移動体通信無線部による前記基地局装置との間の通信が不能な状態から可能な状態に移行すると、前記放送受信装置への間欠的な電源供給を停止するのが好ましい。これによれば、通話圏内（通話エリア内）に移ったときは、常時的な放送受信装置の電源ＯＦＦ状態に戻すことにより、可及的に省電力を図ることができる。
【００１５】
なお、消音設定可能な音声発声器をさらに備え、前記制御部は、前記緊急放送受信時において前記音声発声器が消音設定されているときはその設定を解除したうえで、前記放送受信装置による前記緊急放送の受信と、前記音声発声器による当該緊急放送の放送内容の発声とを行うのが好ましい。これによれば、消音設定（マナーモード）時に緊急放送があったときでも、消音設定解除により、ユーザーに緊急放送に気付かせることができる。
【００１６】
なお、前記制御部は、前記消音設定を解除したうえで、前記放送受信装置による前記緊急放送の受信と、前記音声発声器による当該緊急放送の放送内容の発声を行う際には、前記音声発声器の発声音量を最大にするのが好ましい。これによれば、ユーザーに緊急放送を確実に気付かせることができる。
【００１７】
なお、放送内容を記憶する記憶部をさらに備え、前記制御部は、受信した前記緊急放送を前記記憶部に記憶するのが好ましい。これによれば、緊急放送時にユーザーが緊急放送を聞き逃したり見逃したりした場合でも、記憶された緊急放送の内容を再生することにより、緊急放送の終了後、いつでも緊急放送の内容を確認することができる。
【００１８】
なお、当該移動端末装置のユーザーに報知を行う報知器と、前記ユーザーによる入力を受け付ける入力器とをさらに備え、前記制御部は、前記緊急放送の放送終了時において、当該緊急放送の受信を前記報知器によって前記ユーザーに報知し、前記制御部は、前記報知器による受信報知を確認したユーザーによる確認入力が前記入力器になされたことを受けて、前記報知器による前記受信報知動作を終了させるのが好ましい。これによれば、報知器による報知動作によってユーザーに緊急放送があったことを確実に知らせることができる。
【００１９】
なお、前記報知器は、表示、音声発音、振動、および発光の何れか、または複数により前記ユーザーに報知するのが好ましい。
【００２０】
なお、当該移動端末装置は、開閉自在な折り畳み形状を有しているとともに、当該装置の開閉状態を検出する検出器と、前記緊急放送の放送内容を再生する再生器とをさらに備え、
前記制御部は、前記検出器が当該装置の閉状態を検出している状態で前記緊急放送を受信して前記記憶部に録画したのち、前記検出器が当該装置の開状態を検出すると、前記記憶部に録画されている前記緊急放送を読み出して前記再生器で再生させるのが好ましい。これによれば、ユーザーが即座に緊急放送の内容を確認することができる。
【００２１】
なお、当該移動端末装置のユーザーに報知を行う報知器をさらに備え、前記制御部は、前記放送受信装置が緊急放送を受信すると、前記報知器によって、緊急放送の受信を前記ユーザーに報知するのが好ましい。前記報知器は、表示、音声、振動、および光の何れか、または複数を発生させて緊急放送の受信を前記ユーザーに報知する。これによれば、ユーザーに緊急放送を、確実に気付かせることができる。
【００２２】
なお、前記緊急放送の放送内容を表示する表示器をさらに備え、前記制御部は、他の移動端末装置との通話状態において前記緊急放送を受信すると、通話を継続しながら前記緊急放送の放送内容を前記表示器で表示するのが好ましい。これによれば、ユーザーが通話を中断すること無く、緊急放送の内容を確認することができる。
【００２３】
なお、前記緊急放送通知情報は、前記緊急放送を個別に識別可能な識別子を含み、前記制御部は、受信した前記緊急放送通知情報に含まれる前記識別子を記憶し、前記放送受信装置が受信した緊急放送に対応する前記緊急放送通知情報に含まれる前記識別子が、予め記憶している前記識別子と同一である場合には、今回受信した前記緊急放送を前記記憶部で記録させないのが好ましい。これによれば、不要な動作を行わないことにより、前記制御部の処理負荷の低減、延いては移動端末装置の消費電力を低減することができる。
【００２４】
なお、前記緊急放送通知情報は、前記緊急放送を個別に識別可能な識別子を含み、前記制御部は、受信した前記緊急放送通知情報に含まれる前記識別子を記憶し、前記制御部は、前記ユーザーによる確認入力が前記入力器になされたのち前記放送受信装置で受信した緊急放送に対応する前記緊急放送通知情報の前記識別子が、予め記憶している前記識別子と同一である場合には、前記報知器による前記受信報知動作の停止状態を継続させるのが好ましい。
【００２５】
これによれば、不要な通知を行わないことにより、ユーザーが抱く煩わしさを無くすとともに、不要な動作を行わないことにより、前記制御部の処理負荷の低減、延いては移動端末装置の消費電力の低減を図ることができる。
【００２６】
なお、前記緊急放送通知情報は、前記基地局装置の位置、災害や事故の発生場所、および近傍の避難場所や公共機関に関する支援情報を含み、
当該移動端末装置は、前記ユーザーに報知を行う報知器をさらに備え、
前記制御部は、前記緊急放送を受信すると、当該緊急放送に対応する前記緊急放送通知情報に含まれる前記支援情報を、前記報知器を介して前記ユーザーに報知させるのが好ましい。
【００２７】
これによれば、ユーザーに対して置かれている位置や状況を認識させ、適切な行動を促すことができる。
【発明の効果】
【００２８】
以上のように本発明によれば、携帯電話などの移動端末装置を電池で駆動する状態において、常時的には放送受信装置の電源をＯＦＦにしておくことで省電力を図って連続使用時間（待ち受け時間や通話時間）の長寿命化を図りながら、緊急放送を自動的に受信することが可能となる。
【発明を実施するための最良の形態】
【００２９】
以下、本発明にかかわる移動体通信システムの実施の形態を図面に基づいて詳細に説明する。
【００３０】
（参考例）
図１は本発明の参考例における移動体通信システムの構成図である。移動体通信システム１は、テレビジョン／ラジオ放送受信装置を備えた移動端末装置２と、基地局装置３と、移動体通信ネットワーク制御装置４とを備える。テレビジョンまたはラジオの放送局５は、移動体通信ネットワーク制御装置４にＷＡＮ（Wide Area Network）などの手段によって物理的に接続されている。また、移動体通信ネットワーク制御装置４は、基地局装置３と専用の物理回線で接続されている。放送局５は、移動体通信ネットワーク制御装置４に図３に示す情報ｉ1を送信し、移動体通信ネットワーク制御装置４も同様に基地局装置３に情報ｉ1 を送信する。
【００３１】
情報ｉ1 には、緊急放送にかかわらない情報ａ１と緊急放送にかかわる情報ａ２とが含まれる。そして、緊急放送にかかわる情報ａ２には、緊急放送の有無を示す情報ａ３と、緊急放送時のチャンネル番号ａ４およびその周波数ａ５と、モードａ６と、ガードインタバルａ７とが含まれる。モードａ６は、ＯＦＤＭ（Orthogonal Frequency Division Multiplexing）方式での搬送波間隔における伝送形態を示し、デジタルテレビジョン放送またはデジタルラジオ放送を即座に受信する際に必要となる。ガードインタバルａ７は、隣接する有効シンボルと有効シンボルとを隔てる時間長であって、ＯＦＤＭ方式でのマルチパス障害を解消するために必要となる。緊急放送にかかわる情報ａ２には、基地局装置３の位置ａ８、災害や事故の発生場所ａ９、および近くの避難場所に関する情報ａ１０が含まれる。これらの情報は支援情報を構成する。
【００３２】
基地局装置３は、図４に示す報知情報ｉ2 を移動端末装置２に送信する。報知情報ｉ2 には、緊急放送にかかわらない情報ｂ１と緊急放送にかかわる情報ｂ２とが含まれる。緊急放送にかかわる情報ｂ２には、緊急放送の有無を示す緊急放送通知情報ｂ３と、緊急放送識別子情報ｂ３−１と、緊急放送時のチャンネル番号ｂ４およびその周波数ｂ５と、モードｂ６と、ガードインタバルｂ７とが含まれる。モードｂ６とガードインタバルｂ７とは、デジタルテレビジョン放送またはデジタルラジオ放送を即座に受信する際に必要となる。緊急放送にかかわる情報ｂ２には、基地局装置３の位置ｂ８、災害や事故の発生場所ｂ９、および近くの避難場所に関する情報ｂ１０が含まれる。これらの情報は支援情報を構成する。
【００３３】
ここで、チャンネル番号ｂ４、周波数ｂ５、モードｂ６、およびガードインタバルｂ７が受信条件情報を構成する。
【００３４】
以上の構成を備えた移動体通信システム１において、放送局５は、緊急時に緊急放送ｅｍを送出する。
【００３５】
図２は移動端末装置２の機能ブロック図である。移動端末装置２は、テレビジョン放送とラジオ放送とを受信する放送受信装置を備える。図２において、１０は制御部、１１は記憶部、１２は移動体通信無線部、１３は移動体通信変復調部、１４は放送受信装置、１５はチューナー部、１６は復調部、１７は電源制御部、１８は信号分離部、１９は映像復号部、２０は音声復号部、２１は表示部、２２は発音部、２３はキー入力部、２４はディスプレイ、２５はスピーカー、２６はキー、２７はＬＥＤ、２８はバイブレータ、２９は開閉検出スイッチ、Ａ１は移動体通信用のアンテナ、Ａ２は放送受信アンテナである。表示部２１とディスプレイ２４とは表示器の一例を構成し、発音部２２とスピーカー２５とは音声発声器の一例を構成し、キー入力部２３とキー２６とは入力器の一例を構成し、開閉検出スイッチ２９は検出器の一例を構成する。また、表示器と音声発声器とは再生器の一例を構成する。また、表示器と音声発声器とＬＥＤ２７とバイブレータ２８とは報知器の一例を構成する。
【００３６】
〈１〉基本動作の説明
ここで、移動端末装置２の基本動作を説明する。
【００３７】
〈１−１〉緊急放送受信開始の動作
移動端末装置２は、当該装置２の主電源がオン状態である間は、基地局装置３から無線で送られている報知情報ｉ2を、移動体通信用のアンテナＡ１および移動体通信無線部１２で受信する。受信した報知情報ｉ2 は、移動体通信変復調部１３によって復調された後、制御部１０に送られる。制御部１０は、報知情報ｉ2 から図４に示す各情報を取り出して記憶部１１に保存しながら、緊急情報の有無を示す緊急放送通知情報ｂ３を常時監視する。制御部１０は、監視している緊急放送通知情報ｂ３に緊急放送が存在すること、すなわち緊急放送通知情報ｂ３は、緊急放送が放送中であることを示す情報を含んでいることを検知すると以下の制御を実施する。すなわち、制御部１０は、その時点において放送受信装置１４がテレビジョン放送またはラジオ放送を受信しているか否かを調査し、受信していない場合には、放送受信装置１４の電源制御部１７を制御して放送受信装置１４に電源を供給する。一方、その時点において放送受信装置１４がテレビジョン放送またはラジオ放送を受信している場合、制御部１０は、緊急放送以前に受信していたテレビジョン放送またはラジオ放送のチャンネル番号等の情報を記憶部１１に保存する。
【００３８】
以上の準備工程を経た後、制御部１０は、記憶部１１に保存されている報知情報ｉ2 における緊急放送にかかわる情報ｂ２を読み出し、読み出した情報ｂ２に含まれる受信条件情報をチューナー部１５に設定する。これにより、チューナー部１５は、放送局５から送出されている緊急放送ｅｍ(テレビジョン放送波またはラジオ放送波）を、アンテナＡ２を介して受信する。受信した放送波信号は復調部１６によって復調され、信号分離部１８によって映像信号と音声信号と制御信号とに分離されたうえで制御部１０に送られる。
【００３９】
制御部１０は、供給された映像／音声信号を映像復号部１９と音声復号部２０とに送る。さらに制御部１０は、映像／音声信号を記憶部１１に送って保存させることで録画／録音を行う。
【００４０】
なお、復調部１６で復調された信号には、デジタルテレビジョン放送またはデジタルラジオ放送においては、ＴＭＣＣ(Transmission and Multiplexing Configuration Control)と呼ばれる制御信号が含まれる。ＴＭＣＣには緊急放送の開始と終了に関する情報が含まれる。制御部１０は、テレビジョン放送またはラジオ放送を受信している期間中においては、ＴＭＣＣを解析することで、緊急放送の有無（放送継続／終了）を常時監視する。
【００４１】
ここで、制御部１０は、緊急放送を受信したことを告げる、表示動作（表示部２１、ディスプレイ２４）、発音動作（発音部２２、スピーカー２５）、振動動作（バイブレータ２８）、および発光動作(ＬＥＤ２７）の何れか、または複数の組合せを実施することによって、緊急放送の受信を、移動端末装置２のユーザーに通知する。
【００４２】
なお、これらの選択および組合せは、予めユーザーによって設定されることが可能である。例えば、表示動作、発音動作、振動動作、および発光動作による通知を行う場合には、
・ディスプレイ２４による「緊急放送を受信しました」などの表示動作、
・スピーカー２５による「緊急放送を受信しました」などの音声発声動作、
・バイブレータ２８による、一定時間或いは定期的な振動動作、
・ＬＥＤ２７による発光・点滅動作、
等の各種通知制御を制御部１０は実施する。
【００４３】
なお、これらの通知形態の選択および組合せは、予め移動端末装置２のユーザーによって設定することが可能である。例えば、表示、振動、および発光による通知が選択された場合、制御部１０は、表示部２１を介してディスプレイ２４に「緊急放送を受信中です」などのメッセージを表示すると共に、バイブレータ２８を制御して一定時間或いは定期的に移動端末装置２を振動させ、ＬＥＤ２７を制御して発光・点滅を行う。
【００４４】
また、このとき制御部１０は、報知情報ｉ2に含まれる場所情報である、基地局装置の位置ｂ８、災害や事故の発生場所ｂ９、および近くの避難場所に関する情報ｂ１０ を、表示部２１を介してディスプレイ２４に表示させる。
【００４５】
なお、移動端末装置２が、ＧＰＳ（Global Positioning System）などの位置認識手段を備えている場合、制御部１０は、当該手段から得られた情報も同時に表示することも可能である。
【００４６】
また、このとき制御部１０は、報知情報ｉ2に含まれる緊急放送識別子ｂ３−１を識別することによって、同一内容の緊急放送を再受信したことを認識することが可能である。
【００４７】
なお、制御部１０は、最新の報知情報ｉ2における緊急放送識別子ｂ３−１と、以前に受信した緊急放送の緊急放送識別子（これは記憶部１１に記憶される）とを比較し、これらが同一であった場合には、前記録画および録音や、前記ユーザーへの通知を再び行わないように制御してもよい。
【００４８】
なお、移動端末装置２に対してマナーモードすなわち消音の設定がなされている場合、制御部１０は、次の制御を実施する。この場合、制御部１０は、発音部２２に設定されている消音設定の解除を行う。さらに、制御部１０は、緊急放送以前にマナーモードが設定されていたことを示す情報を記憶部１１に保存する。さらに、制御部１０は、緊急放送以前に発声部２２に設定されていた音量に関する情報を記憶部１１に保存したうえで、発音部２２を、最大音量設定にする。以上の準備処理をしたうえで、制御部１０は、音声複合部２０と映像複合部１９とで復号させた映像信号と音声信号とを、それぞれ表示部２１と発音部２２とに送ることで、ディスプレイ２４およびスピーカー２５で、緊急放送の表示および発音を開始させる。
【００４９】
ここで、移動端末装置２が他の移動端末装置と通話状態にある場合、制御部１０は、スピーカー２５による警告音発声、バイブレータ２８による警告振動、およびＬＥＤ２７による警告発光の何れか、または複数の組み合わせが実施されるように制御する。さらに、制御部１０は、このような警告通知を行うことで緊急放送の受信を移動端末装置２のユーザーに確実に通知したうえで、受信した緊急放送の映像を、ディスプレイ２４で表示させる。このとき制御部１０は、移動端末装置２と他の移動端末装置との通話を継続させる。なお、通話中の緊急放送受信時における放送内容表示の有無や通話状態の維持／切断は、予めユーザーの設定により選択することが可能である。
【００５０】
〈１−２〉緊急放送受信終了の動作
前述したように、制御部１０は、テレビジョン放送またはラジオ放送を受信している期間中、ＴＭＣＣを解析することで、緊急放送の有無（放送継続／終了）を常時監視している。ＴＭＣＣの解析によって緊急放送の終了を検知した場合、制御部１０は、記憶部１１による緊急放送の録画および録音を停止させる。具体的には制御部１０は、映像／音声信号を記憶部１１に送信することを停止させる。そのうえで、制御部１０は、緊急放送受信直前における移動端末装置２の状態を示す情報を記憶部１１から読み出す。
【００５１】
読み出した情報が、緊急放送以前にテレビジョン放送またはラジオ放送を受信していなかったことを示す場合、制御部１０は、映像信号および音声信号の表示部２１および発音部２２への送信を停止することによって、テレビジョン放送またはラジオ放送の受信を停止するとともに、電源制御部１７を制御することによって、放送受信装置１４の電源供給を停止する。
【００５２】
一方、読み出した情報が、緊急放送以前にテレビジョン放送またはラジオ放送を受信していたことを示す場合、制御部１０は、緊急放送以前のチャンネルに戻すため、記憶部１１に記憶していた緊急放送以前のチャンネル番号等の受信条件情報を読み出してチューナー部１５に設定する。次に制御部１０は、緊急放送以前の音量に戻すため、記憶部１１に記憶していた緊急放送以前の音量に関する情報を読み出して発音部２２に設定する。
【００５３】
さらに制御部１０は、例えば「緊急放送有り」の確認メッセージをディスプレイ２４に表示するための設定を表示部２１に行うとともに、何らかの警告音をスピーカー２５が鳴動するための設定を発音部２２に行う。これによりディスプレイ２４とスピーカー２５とは、メッセージの表示と警告音の鳴動とを行う。
【００５４】
この他、制御部１０は、一定時間或いは定期的に移動端末装置２を振動させるバイブレータ２８の制御や、発光・点滅を行うＬＥＤ２７の制御を実施してもよい。さらには、当該移動端末装置２が開閉可能な折りたたみ形状を有する携帯電話であって、その開閉を検出する開閉検出スイッチ２９を有する場合には、以下の自動再生制御を実施することも可能である。すなわち、ユーザーが当該移動端末装置２を開いたことを、開閉検出スイッチ２９から報知された制御部１は、記憶部１１に記憶されている緊急放送の内容を読み出して、映像復号部１９および音声復号部２０で復号させたうえで、それらの復号信号を表示部２１および発音部２２で出力制御させることで、ディスプレイ２４とスピーカー２５とで再生することが可能である。
【００５５】
なお、上述されたメッセージの表示動作と警告音の発声鳴動動作とは、移動端末装置２のユーザーがキー２６を押すまで持続される。この場合の表示動作と発声鳴動動作とは、緊急放送があったことを移動端末装置２のユーザーに確認させることを目的として実施される制御動作であって、移動端末装置２のユーザーがキー２６を押すまで持続される。ユーザーがキー２６を押したことがキー入力部２３から報知された制御部１０は、表示部２１と発音部２２とに設定していた表示設定と発声鳴動設定とを解除する。
【００５６】
〈２〉緊急放送の自動受信の詳細動作説明
図５は移動端末装置２が緊急放送の受信を開始する際の動作を示すフローチャートである。まず、ステップＳ１において、移動体通信無線部１２が報知情報ｉ2 を受信すると、ステップＳ２に進んで、制御部１０が、報知情報ｉ2 から緊急放送ｅｍのチャンネル番号ｂ４や周波数ｂ５などの受信条件情報を取得してその情報を記憶部１１に記憶させる。次いでステップＳ３において、制御部１０は、そのときテレビジョン放送またはラジオ放送を受信しているかどうかを判断し、受信していない場合は、ステップＳ４に進み、受信している場合はステップＳ６に進む。
【００５７】
ステップＳ４において、制御部１０は緊急放送ｅｍの有無を判断する。この判断は、報知情報ｉ2 に含まれる緊急放送の有無を示す緊急放送通知情報ｂ３を解読することで実施される。ステップＳ４で緊急放送ｅｍの放送は無いと判断する場合は処理を終了する。一方、緊急放送ｅｍの放送があると判断する場合は、ステップＳ４−１に進んで、制御部１０は今回取り上げている緊急放送ｅｍは既に受信している緊急放送であるかどうかを判断する。この判断は、今回受信した報知情報ｉ2 に含まれる緊急放送識別子ｂ３−１と、記憶部１１に記憶されている緊急放送識別子ｂ３−１（以前に受信した緊急放送がある場合に記憶部１１に記憶されている）との比較により実施される。両識別子ｂ３−１が一致する場合には同一放送と見なされる。
【００５８】
ステップＳ４−１で、今回受信した報知情報ｊ2において放送実施が報知された緊急放送ｅｍは、初めて受信する緊急放送であると判断する場合、ステップＳ５に進んで、制御部１０は、放送受信装置１４への電源供給を開始するように、電源制御部１７を制御したうえで、ステップＳ７に進む。
【００５９】
一方、ステップＳ３において、テレビジョン放送またはラジオ放送を受信していないと判断する場合は、ステップＳ６において、制御部１０は、放送の一部として伝送される制御情報に含まれるＴＭＣＣによって緊急放送ｅｍの有無を判断する。ステップＳ６において、緊急放送は無いと判断する場合には、一連の処理は終了される。一方、ステップＳ６において、緊急放送があると判断する場合には、ステップＳ７に進む。
【００６０】
ステップＳ７において、制御部１０は、報知情報ｉ2 から受信条件情報を取得してその条件をチューナー部１５に設定して緊急放送ｅｍの受信を開始する。次いで、ステップＳ８において、制御部１０は、緊急放送ｅｍの録画と録音を開始する。
【００６１】
次いで、ステップＳ９において、制御部１０は、マナーモード等の消音設定がなされているかどうかの判断を行い、消音設定がなされていない場合はステップＳ１１にスキップし、消音設定がなされている場合はステップＳ１０に進んで、マナーモードの解除を行う。
【００６２】
次いでステップＳ１１において、制御部１０は移動端末装置２のユーザーが緊急放送ｅｍの存在に気付くように最大の音量に設定したうえで、ステップＳ１２で緊急放送ｅｍの放送内容の表示と発声を開始する。
【００６３】
〈３〉緊急放送の自動受信終了の詳細動作説明
図６は移動端末装置が緊急放送ｅｍの受信を終了する際の動作を示すフローチャートである。まず、ステップＳ２１において、制御部１０は、緊急放送ｅｍが終了したかどうかを判断する。緊急放送ｅｍの終了は、緊急放送ｅｍの放送信号に含まれるＴＭＣＣを解読することによって実施される。ステップＳ２１の処理は緊急放送ｅｍを受信している間、継続して実施される。
【００６４】
ステップＳ２１において、緊急放送ｅｍが終了したと判断する場合、制御部１０は、ステップＳ２２において、緊急放送ｅｍの録画と録音とを停止する。次いで、制御部１０は、ステップＳ２３において、緊急放送ｅｍが行われる以前にテレビジョン放送またはラジオ放送を受信していたかどうかを判断する。
【００６５】
ステップＳ２３において、緊急放送ｅｍが行われる以前にテレビまたはラジオの放送を受信していないと判断する場合、制御部１０は、ステップＳ２４に進み、映像信号および音声信号の分離処理と復号処理とを停止することによって、テレビジョン放送またはラジオ放送の受信を停止する。次いでステップＳ２５において、制御部１０は、放送受信装置１４への電源供給を停止したうえでステップＳ２７に進む。
【００６６】
一方、ステップＳ２３において、緊急放送ｅｍが行われる以前にテレビジョン放送またはラジオ放送を受信していたと判断する場合、制御部１０は、ステップＳ２６に進んで、記憶部１１に保存されている、緊急放送ｅｍの受信を開始する以前のチャンネル番号に関する受信条件情報を読み出して、その条件をチューナー部１５に設定してステップＳ２７に進む。
【００６７】
ステップＳ２７において、制御部１０は、記憶部１１に保存されている緊急放送ｅｍの受信を開始する以前の音量設定情報を読み出して、その音量を発音部２２に設定する。次いでステップＳ２８において、制御部１０は、
・「緊急放送あり」などのメッセージ表示動作、
・警告音の発声鳴動動作、
・バイブレータ２８を制御して一定時間或いは定期的に移動端末装置２を振動させる動作、
・ＬＥＤ２７を制御して発光・点滅を行う動作、
といった警告動作を実施する。
【００６８】
さらに、制御部１０は、ステップＳ２９において、移動端末装置２のユーザーが、ステップＳ２８の警告動作に応答してキー２６を押下したかどうかを判断する。ステップＳ２９でキー２６の押下があったことを確認すると、制御部１０は、ステップＳ３０に進んで、ステップＳ２８の警告動作を停止して、一連の処理を終了する。一方、ステップＳ２９でキー２６の押下があったことを確認できない間は、制御部１０はステップＳ２８の警告動作を継続させる。
【００６９】
（実施の形態２）
本発明の実施の形態２は、移動端末装置２が通話エリア外（以下、通話圏外という）に在る場合の機能についてのものである。本実施の形態においては、参考例の場合の図１〜図４が援用される。
【００７０】
本実施の形態の場合、移動端末装置２は、通話圏外に在るため報知情報ｉ2 を受信することができない。そのため、移動端末装置２は、間欠的かつ定期的にテレビジョン放送またはラジオ放送の受信を行うことによって、電力の消費を抑えつつ緊急放送ｅｍの有無を確認する。
【００７１】
〈１〉基本動作の説明
移動端末装置２が通話圏外に在るためにテレビジョン放送またはラジオ放送を受信していない場合、制御部１０は、予め定められた一定の時間の計測を周期的に行う。そのうえで、制御部１０は、一定時間が経過する毎に電源制御部１７を制御して放送受信装置１４に電源を供給する。電源が供給された放送受信装置１４では、放送局５から送出されているテレビジョン放送波またはラジオ放送波を、アンテナＡ２を介してチューナー部１５が受信する。受信された放送波信号は復調部１６で復調される。制御部１０は、復調された信号に含まれるＴＭＣＣを解読することによって緊急放送ｅｍの放送の有無を確認する。ここで、制御部１０は、緊急放送ｅｍが放送されていないと判断する場合、電源制御部１７を制御して放送受信装置１４の電源供給を停止したうえで、再び前述した一定時間の計測を開始する。一方、緊急放送ｅｍが放送されていると判断する場合、参考例と同様、制御部１０は、以前に報知情報ｉ2 より受信したまたは予め設定されている緊急放送ｅｍに関するチャンネル番号等の受信条件情報を記憶部１１から読み出して、その条件をチューナー部１５に設定することによって緊急放送ｅｍの受信を開始する。
【００７２】
さらに、受信した緊急放送ｅｍの映像信号および音声信号を記憶部１１に保存させることによって録画と録音とを開始する。さらに制御部１０は、発音部２２にマナーモードすなわち消音設定がなされているか否かを判断し、設定がなされていると判断する場合には、発音部２２の消音設定を解除するとともに、緊急放送以前に消音設定がなされていたことを示す情報を記憶部１１に保存させる。そのうえで、音量を最大にして発音するための設定を発音部２２に行うとともに、今回の緊急放送ｅｍを受信する直前において発音部２２に設定されていた音量に関する情報を記憶部１１に保存させる。
【００７３】
以上の準備を行ったうえで、制御部１０は、映像復号部１９と音声復号部２０とを介して、表示部２１と発音部２２とに映像信号と音声信号とを供給することで、ディスプレイ２４とスピーカー２５とから緊急放送ｅｍの表示と発音を開始させる。
【００７４】
なお、移動端末装置２が、テレビジョン放送またはラジオ放送を受信している場合には、参考例と同様、制御部１０は、放送波に含まれるＴＭＣＣを解読することによって緊急放送ｅｍの有無を常時監視する。
【００７５】
〈２〉フローチャートによる詳細動作説明
図７は移動端末装置２が通話圏外に在る場合の動作を示すフローチャートである。まず、ステップＳ３１において、制御部１０は、テレビジョン放送またはラジオ放送を受信しているかどうかの判断を行う。ステップＳ３１で受信していないと判断する場合、制御部１０は、ステップＳ３２に進んで、予め定められた一定時間の計測を開始し、次いでステップＳ３３において、前記一定時間が経過したかどうかを判断する。ステップＳ３３で前記一定時間が経過したと判断すると、制御部１０は、ステップＳ３４に進んで、電源制御部１７を制御して放送受信装置１４に電源を供給することで、受信を開始させる。
【００７６】
次に、ステップＳ３５において、制御部１０は、受信した放送波信号に含まれるＴＭＣＣを解読することによって緊急放送ｅｍの有無を判断する。ステップＳ３５において、緊急放送ｅｍが放送されていないと判断する場合には、制御部１０は、ステップＳ３７に進んで、放送受信装置１４への電源供給を停止し、一連の動作を終了する。
【００７７】
一方、ステップＳ３５において緊急放送ｅｍが放送されていると判断する場合には、制御部１０は、ステップＳ３８に進んで、以前に報知情報ｉ2より受信したまたは予め設定されている緊急放送ｅｍに関するチャンネル番号等の受信条件情報を記憶部１１から読み出して、その条件をチューナー部１５に設定することによって、緊急放送ｅｍの受信を開始する。
【００７８】
次いでステップＳ３９において、制御部１０は、受信した緊急放送ｅｍの映像信号および音声信号を記憶部１１に保存させることによって録画および録音を開始する。さらに、制御部１０は、ステップＳ４０において、発音部２２にマナーモードが設定されているかどうかの判断を行い、マナーモードが設定されていないと判断する場合、ステップＳ４２にスキップする。一方、ステップＳ４０でマナーモードが設定されていると判断する場合、制御部１０は、ステップＳ４１に進んで、マナーモードの解除を行い、次いでステップＳ４２において、音量を最大にする設定を発音部２２に行ったうえで、ステップＳ４３で緊急放送ｅｍの放送内容の表示と発声を開始する。このとき、制御部１０は、緊急放送以前に消音設定がなされていたことを示す情報を記憶部１１に保存させる。さらに、制御部１０は、今回の緊急放送ｅｍを受信する直前において発音部２２に設定されていた音量に関する情報を記憶部１１に保存させる。
【００７９】
ステップＳ３１に戻って説明する。制御部１０は、ステップＳ３１の判断において、テレビジョン放送またはラジオ放送を受信していると判断する場合、ステップＳ３６に進んで、受信した放送波信号に含まれるＴＭＣＣを解読することによって緊急放送ｅｍの有無を判断する。テップＳ３６において、緊急放送ｅｍが放送されていないと判断する場合には、制御部１０は、ステップＳ３７に進んで、放送受信装置１４への電源供給を停止し、一連の動作を終了する。ステップＳ３７において、緊急放送ｅｍが放送されていると判断する場合には、ステップＳ３８に進み、以降、上述したステップＳ３８〜Ｓ４２の処理を行う。
【００８０】
（実施の形態３）
本発明の実施の形態３は、移動端末装置が通話エリア内とエリア外すなわち通話圏内と通話圏外を移動する場合についてのものである。本実施の形態においては、参考例の場合の図１〜図４、図５、図７が援用される。
【００８１】
本実施の形態の場合、移動端末装置２は、通話圏内と通話圏外を行き来する。そして、このとき移動端末装置２は、参考例の動作と実施の形態２の動作とを自動的に切り替えることによって、電力の消費をなるべく抑えつつ、緊急放送ｅｍの有無の確認を常に行っている。
【００８２】
〈１〉基本動作の説明
制御部１０は、移動体通信用のアンテナＡ１および移動体通信無線部１２によって基地局装置３から無線で送られている報知情報ｉ2 を受信できた場合、参考例の動作を行う。また、報知情報ｉ2を受信できなかった場合、実施の形態２の動作を行う。
【００８３】
〈２〉フローチャートによる詳細動作説明
図８は移動端末装置２が圏内に在るか否かによって自動的に動作内容を変更する際のフローチャートである。
【００８４】
まず、ステップＳ５１において、制御部１０は、通話圏内か通話圏外かの判断を行う。ステップＳ５１において、通話圏内であると判断する場合、制御部１０は、ステップＳ５２に進んで、図５のフローチャートに示される参考例の制御を実施する。一方、ステップＳ５１において、通話圏外であると判断する場合には、ステップＳ５３に進んで、図７のフローチャートに示される実施の形態２の制御を実施する。
【００８５】
このように、実施の形態３では、移動端末装置２が通話圏内に在るか通話圏外に在るかに応じて、参考例の動作と実施の形態２の動作とを自動的に切り替えられる。
【産業上の利用可能性】
【００８６】
本発明の技術は、テレビジョン放送、ラジオ放送における緊急放送を自動的に受信できる機能を持たせた携帯電話等の移動端末装置、移動体通信システム等として有用である。
【図面の簡単な説明】
【００８７】
【図１】本発明の参考例、実施の形態２，３における移動体通信システムの構成図。
【図２】本発明の参考例、実施の形態２，３における移動端末装置の詳しい構成を示すブロック図。
【図３】本発明の参考例、実施の形態２，３において、テレビジョン放送局またはラジオ放送局から移動体通信ネットワーク制御装置を経由して基地局装置に送信される情報の構成を示す図。
【図４】本発明の参考例、実施の形態２，３において、基地局装置から移動端末装置に送信される報知情報の構成を示す図。
【図５】本発明の参考例における移動端末装置の緊急放送の受信を開始する際の動作を示すフローチャート。
【図６】本発明の参考例における移動端末装置の緊急放送の受信を終了する際の動作を示すフローチャート。
【図７】本発明の実施の形態２における移動端末装置が通話圏外に在る場合の動作を示すフローチャート。
【図８】本発明の実施の形態３における移動端末装置が通話圏内に在るか否かによって自動的に動作内容を変更する際のフローチャート。
【符号の説明】
【００８８】
１  移動体通信システム
２  移動端末装置
３  基地局装置
４  移動体通信ネットワーク制御装置
５  放送局
１０  制御部
１１  記憶部
１２  移動体通信無線部
１３  移動体通信変復調部
１４  放送受信装置
１５  チューナー部
１６  復調部
１７  電源制御部
１８  映像・音声信号および制御信号分離部
１９  映像復号部
２０  音声復号部
２１  表示部
２２  発音部
２３  キー入力部
２４  ディスプレイ
２５  スピーカー
２６  キー
２７  ＬＥＤ
２８  バイブレータ
２９  開閉検出スイッチ
Ａ１  移動体通信用のアンテナ
Ａ２  放送受信用のアンテナ
ｂ３、ｂ３−１  緊急放送通知情報
ｂ４〜ｂ７  受信条件情報
ｂ８〜ｂ１０  場所情報
ｅｍ  緊急放送
ｉ2 報知情報
【図１】
0004778848.tif 000002
【図２】
0004778848.tif 000003
【図３】
0004778848.tif 000004
【図４】
0004778848.tif 000005
【図５】
0004778848.tif 000006
【図６】
0004778848.tif 000007
【図７】
0004778848.tif 000008
【図８】
0004778848.tif 000009